(57)【要約】【課題】異なる樹脂からなる２種以上の部材を備え、かつ十分な強度を有する歯ブラシのハンドル体。【解決手段】ハンドル部２０と、該ハンドル部２０の先端に設けられたヘッド部１０とを備える歯ブラシのハンドル体２において、第一の樹脂で構成された第一の部材４と、前記第一の樹脂とは異なる第二の樹脂で構成された第二の部材６とを備え、前記第一の部材４は、前記ヘッド部１０と、前記ヘッド部１０から前記ハンドル部２０に向かって延びる延設部４０とを備え、前記第二の部材６は、前記ハンドル部２０の少なくとも一部を形成し、前記延設部４０の一部が前記第二の部材６に埋設され、前記延設部４０には、その延設方向に交わる方向に突出する嵌合部４４、４６が形成され、前記嵌合部４４、４６は、前記第二の部材６に形成された嵌合孔６４、６６と嵌合していることよりなる。【選択図】図１
2015070925.tif 000002
【特許請求の範囲】
【請求項１】
ハンドル部と、該ハンドル部の先端に設けられたヘッド部とを備える歯ブラシのハンドル体において、
第一の樹脂で構成された第一の部材と、前記第一の樹脂とは異なる第二の樹脂で構成された第二の部材とを備え、
前記第一の部材は、前記ヘッド部と、前記ヘッド部から前記ハンドル部に向かって延びる延設部とを備え、
前記第二の部材は、前記ハンドル部の少なくとも一部を形成し、
前記延設部の一部は、前記第二の部材に埋設され、
前記延設部には、その延設方向に交わる方向に突出する嵌合部が形成され、
前記嵌合部は、前記第二の部材に形成された嵌合孔と嵌合していることを特徴とする、歯ブラシ用のハンドル体。
【請求項２】
前記嵌合部は、前記嵌合孔を貫通していることを特徴とする、請求項１に記載の歯ブラシ用のハンドル体。
【請求項３】
前記第一の樹脂は、ポリエステル及びポリアセタールから選ばれる少なくとも１種を主成分とすることを特徴とする、請求項１又は２に記載の歯ブラシ用のハンドル体。
【請求項４】
前記第二の樹脂は、ポリオレフィンであることを特徴とする、請求項１〜３のいずれか１項に記載の歯ブラシ用のハンドル体。
【請求項５】
前記第二の部材は、前記第二の樹脂よりも軟質な樹脂で被覆されていることを特徴とする、請求項１〜４のいずれか１項に記載の歯ブラシ用のハンドル体。
【請求項６】
請求項１〜５のいずれか１項に記載の歯ブラシ用のハンドル体に、毛束が植設されてなることを特徴とする歯ブラシ。
【請求項７】
前記第一の部材を金型内に配置し、金型内に前記第二の樹脂を射出することを特徴とする、請求項１〜５のいずれか１項に記載の歯ブラシ用のハンドル体の製造方法。
【発明の詳細な説明】
【技術分野】
【０００１】
本発明は、歯ブラシ用のハンドル体及びその製造方法ならびに歯ブラシに関する。
【背景技術】
【０００２】
歯ブラシとしては、ハンドル部と、ハンドル部の先端に設けられたヘッド部とを備えるハンドル体と、ヘッド部に植毛された毛束とを備えるものが一般に知られている。通常、ハンドル部には、縮径したネック部が形成され、ネック部の先端にヘッドが設けられている。
歯ブラシには、奥歯や前歯の裏側等をより擦掃しやすくするために、口腔内での操作性の向上が求められている。口腔内での操作性を高めた歯ブラシとしては、ヘッド部を小さくしたり、ヘッド部を薄くしたり、ネック部を細くしたものが知られている。
また、ハンドル部をエラストマー樹脂で被覆し、手指が滑るのを防止して、操作性の向上が図られた歯ブラシが知られている。
【０００３】
一般に、歯ブラシのハンドル体は、ポリプロピレン（ＰＰ）等のポリオレフィンで構成されている。ＰＰ製のハンドル体のヘッド部を単に薄くすると、平線式植毛で毛束を植毛した際にヘッド部が破損しやすくなる、ヘッド部の強度が低下して、使用中にヘッド部が破損しやすくなる等の問題を生じる。
こうした問題に対し、特定の厚さの平線で毛束を植毛した歯ブラシが提案されている（例えば、特許文献１）。
【先行技術文献】
【特許文献】
【０００４】
【特許文献１】再公表ＷＯ２００５／０６０７８８号公報
【発明の概要】
【発明が解決しようとする課題】
【０００５】
しかしながら、特許文献１の発明は、薄型化されたヘッド部の強度を保てるものの、ネック部を細くすると、ネック部の強度が不十分になる。
強度の高い樹脂として、ポリブチレンテレフタレート（ＰＢＴ）やポリアセタール（ＰＯＭ）等が知られているが、ＰＢＴやＰＯＭはエラストマー樹脂との接着性に乏しい。このため、ＰＢＴ製やＰＯＭ製のハンドル体をエラストマー樹脂で被覆する場合には、エラストマー樹脂からなる被覆部の形状が制限され、十分な滑り止め効果を発揮させにくいという問題があった。
さらに、ＰＢＴやＰＯＭは、ＰＰ等の汎用のプラスチックとの接着性に乏しい。このため、例えば、ＰＢＴやＰＯＭで構成されたヘッド部及びネック部と、ＰＰ等で構成されたハンドル部とを有するハンドル体をインサート成形で成形しても、ＰＢＴやＰＯＭで構成された部材とＰＰで構成された部材とが、界面で剥離しやすい。ＰＢＴやＰＯＭで構成された部材と、ＰＰ等で構成された部材とを個々に成形し、これらを接続すると、接続部の強度が低下したり、製造工程が煩雑になるという問題があった。
このように、部位毎に異なる樹脂を採用すると、十分な強度を有するハンドル体を得るのは困難であった。
そこで、本発明は、異なる樹脂からなる２種以上の部材を備え、かつ十分な強度を有する歯ブラシのハンドル体を目的とする。
【課題を解決するための手段】
【０００６】
本発明の歯ブラシのハンドル体は、ハンドル部と、該ハンドル部の先端に設けられたヘッド部とを備える歯ブラシのハンドル体において、第一の樹脂で構成された第一の部材と、前記第一の樹脂とは異なる第二の樹脂で構成された第二の部材とを備え、前記第一の部材は、前記ヘッド部と、前記ヘッド部から前記ハンドル部に向かって延びる延設部とを備え、前記第二の部材は、前記ハンドル部の少なくとも一部を形成し、前記延設部の一部は、前記第二の部材に埋設され、前記延設部には、その延設方向に交わる方向に突出する嵌合部が形成され、前記嵌合部は、前記第二の部材に形成された嵌合孔と嵌合していることを特徴とする。
前記嵌合部は、前記嵌合孔を貫通していることが好ましく、前記第一の樹脂は、ポリエステル及びポリアセタールから選ばれる少なくとも１種を主成分とすることが好ましく、前記第二の樹脂は、ポリオレフィンであることが好ましく、前記第二の部材は、前記第二の樹脂よりも軟質な樹脂で被覆されていてもよい。
【０００７】
本発明の歯ブラシは、前記の本発明の歯ブラシ用のハンドル体に、毛束が植設されてなることを特徴とする。
【０００８】
本発明の歯ブラシ用のハンドル体の製造方法は、前記第一の部材を金型内に配置し、金型内に前記第二の樹脂を射出することを特徴とする。
【発明の効果】
【０００９】
本発明の歯ブラシのハンドル体によれば、異なる樹脂からなる２種以上の部材を備え、かつ十分な強度を有する。
【図面の簡単な説明】
【００１０】
【図１】（ａ）本発明の一実施形態にかかる歯ブラシの平面図である。（ｂ）本発明の一実施形態にかかる歯ブラシの側面図である。
【図２】（ａ）図１の第一の部材を示す平面図である。（ｂ）図１の第一の部材を示す側面図である。
【図３】（ａ）図１の第二の部材を示す平面図である。（ｂ）図１の第二の部材を示す側面図である。
【図４】（ａ）図１の被覆部を示す平面図である。（ｂ）図１の被覆部を示す側面図である。
【図５】本発明の一実施形態にかかるハンドル体の平面図である。
【図６】本発明の一実施形態にかかるハンドル体の平面図である。
【発明を実施するための形態】
【００１１】
本発明の一実施形態にかかる歯ブラシについて、以下に図１〜４を参照して説明する。
図１の歯ブラシ１は、ハンドル部２０及びハンドル部２０の先端に設けられたヘッド部１０を備える歯ブラシ用のハンドル体（以下、単にハンドル体ということがある）２を備える。本実施形態において、ハンドル部２０は、把持部２４と、把持部２４から延設されヘッド部１０に接続するネック部２２とを備える。
ヘッド部１０の植毛面１１には、植毛穴１２が複数形成され、植毛穴１２に用毛の毛束１４が植設されている。
なお、図１（ａ）の平面図においては、毛束の図示が省略されている。
【００１２】
ハンドル体２は、ヘッド部１０とネック部２２とを形成する第一の部材４と、把持部２４を形成する第二の部材６と、第二の部材６の一部を被覆する被覆部８とを備える。
把持部２４におけるネック部２２の近傍には、植毛面１１側（表面）に平面視楕円形の滑止部８２が形成されている。
【００１３】
図２に示すように、第一の部材４は、ヘッド部１０と、ヘッド部１０から延設された略円柱状の延設部４０とが一体に成形されている。延設部４０は、その先端に第二の嵌合部４６が形成され、第二の嵌合部４６とヘッド部１０との間には第一の嵌合部４４が形成されている。第一の嵌合部４４及び第二の嵌合部４６は、表面及びその背面に突出している。即ち、第一の嵌合部４４及び第二の嵌合部４６は、延設部４０の延設方向に交わる方向に突出している。
延設部４０に嵌合部が形成されているため、第一の部材４は第二の部材６から抜け落ちにくい。
延設部４０には、第一の嵌合部４４と第二の嵌合部４６との間に、貫通孔４８が形成されている。貫通孔４８は、表面から背面に向かって貫通している。
延設部４０には、境界５に対応する位置に、延設部４０を周回する環状凹部４２が形成されている。環状凹部４２が形成されていることで、第一の部材４と第二の部材６とをより強固に接続できる。
【００１４】
第一の部材４は、環状凹部４２から第二の嵌合部４６に至る部分が第二の部材６に埋設されており、境界５からヘッド部１０に掛けて露出されている。即ち、境界５は、ネック部２２の基端に位置し、延設部４０は、一部が第二の部材６に埋設され、露出した部分がネック部２２を形成している。
本実施形態において、第一の嵌合部４４は、第一の嵌合孔６４を貫通し、第二の嵌合部４６は第二の嵌合孔６６を貫通している。
【００１５】
図３に示すように、第二の部材６には、滑止部８２に対応する位置に凹部６２が形成されている。
第二の部材６には、第一の嵌合部４４に対応する位置に、第一の嵌合孔６４が形成され、第二の嵌合部４６に対応する位置に、第二の嵌合孔６６が形成されている。
第二の部材６には、貫通孔４８に対応する位置に、貫通孔６８が形成されている。この貫通孔６８は、第二の部材６の表面及び背面に開孔している。
【００１６】
図４に示すように、被覆部８は、被覆本体８０と、滑止部８２とを備える。
本実施形態において、被覆本体８０は、境界５から把持部２４の後端に掛けて、第二の部材６の側面及び背面を被覆し、第二の部材６の表面を開放するように形成されている。滑止部８２は、貫通孔４８及び貫通孔６８を貫通する支持部８１によって、被覆本体８０と接続されている。
【００１７】
第一の部材４は、第一の樹脂で構成される。本実施形態において、第一の樹脂は、ヘッド部１０やネック部２２に求められる剛性や機械特性等を勘案して選択される。第一の樹脂としては、曲げ弾性率（ＪＩＳ  Ｋ７２０３）が５００ＭＰａ以上３０００ＭＰａ以下である樹脂が挙げられ、例えば、ＰＢＴ、ポリエチレンテレフタレート（ＰＥＴ）、ポリシクロへキシレンジメチレンテレフタレート（ＰＣＴ）等のポリエステル；ＰＯＭ；ＰＰ、ポリエチレン（ＰＥ）等のポリオレフィン；ポリスチレン（ＰＳ）；アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。中でも、ポリエステル及びＰＯＭから選ばれる１種以上を主成分とする樹脂が好ましく、ポリエステル、ＰＯＭがより好ましく、ＰＢＴ、ＰＯＭがさらに好ましい。ポリエステルやＰＯＭであれば、剛性がより高いため、ヘッド部１０をさらに薄くしたり、ネック部２２をさらに細くしても、十分な強度を得られる。これらの樹脂は、１種単独で用いられてもよいし、２種以上が組み合わされて用いられてもよい。なお、「主成分」は、５０質量％以上を含有することをいう。
【００１８】
第二の部材６は、第一の樹脂と異なる第二の樹脂で構成される。第一の樹脂と異なるとは、樹脂の種類や組成が異なることのみならず、添加剤の種類が異なること、色調が異なることを含む。本実施形態において、第二の樹脂は、把持部２４に求められる剛性、被覆部８を構成する樹脂との接着性等を勘案して決定される。
第二の樹脂は、第一の樹脂と異なればよく、例えば、第一の樹脂と同様のものが挙げられ、中でも、ポリオレフィンが好ましく、ＰＰがより好ましい。ポリオレフィンであれば、被覆部８をエラストマー樹脂で構成した場合、第二の部材６と被覆部８との接着性を高められる。
【００１９】
本実施形態において、第一の樹脂と第二の樹脂との組み合わせとしては、第一の樹脂をポリエステル及びＰＯＭから選ばれる１種以上を主成分とする樹脂とし、第二の樹脂をポリオレフィンとしたものが好ましく、第一の樹脂をＰＢＴ又はＰＯＭとし、第二の樹脂をＰＰとしたものがより好ましい。このような組み合わせとすることで、ヘッド部１０をより薄くし、ネック部２２をより細くして口腔内での操作性を高め、かつ把持部２４と被覆部８との接着性を高められる。
また、例えば、第一の樹脂を非透光性の樹脂とし、第二の樹脂を透光性の樹脂としてもよい。このような組み合わせとすることで、ハンドル体２の意匠のバリエーションを多様化できる。
【００２０】
被覆部８としては、第二の樹脂よりも軟質なもの（以下、軟質樹脂ということがある）であればよい。軟質樹脂としては、例えば、ショア硬度Ａが９０以下のものが好ましく、ショア硬度Ａが５０〜８０のものがより好ましい。
軟質樹脂としては、例えば、エラストマー（例えば、オレフィン系エラストマー、スチレン系エラストマー、ポリエステル系エラストマー、ポリウレタン系熱可塑性エラストマー等）、シリコーンが挙げられる。
【００２１】
ハンドル体２の長さは、特に限定されず、例えば、１２０〜２００ｍｍとされる。
ヘッド部１０の幅は、特に限定されず、例えば、７〜１３ｍｍが好ましく、８〜１２ｍｍがより好ましい。上記下限値以上であれば、毛束１４を植設する面積を十分に確保でき、上記上限値以下であれば、口腔内での操作性をより高められる。
ヘッド部１０の長さは、特に限定されず、例えば、１０〜３０ｍｍが好ましく、１２〜２８ｍｍがより好ましい。上記下限値以上であれば、毛束１４を植設する面積を十分に確保でき、上記上限値以下であれば、口腔内での操作性をより高められる。
ヘッド部１０の厚さは、材質等を勘案して決定でき、例えば、２〜６ｍｍが好ましく、２．５〜４ｍｍがより好ましい。上記下限値以上であれば、ヘッド部１０の強度をより高められ、上記上限値以下であれば、口腔内での操作性をより高められる。
ネック部２２の太さは、材質等を勘案して決定でき、例えば、３〜６ｍｍが好ましく、３．５〜４．５ｍｍがより好ましい。上記下限値以上であれば、ネック部２２の強度をより高められ、上記上限値以下であれば、口腔内での操作性をより高められる。
【００２２】
毛束１４は、複数の用毛を束ねたものである。
植毛面１１から毛束１４の先端までの長さ（毛丈）は、毛束１４に求める毛腰等を勘案して決定でき、例えば、６〜１３ｍｍとされる。
全ての毛束１４は同じ毛丈であってもよいし、相互に異なっていてもよい。
【００２３】
毛束１４の太さ（毛束径）は、毛束１４に求める毛腰等を勘案して決定でき、例えば、１〜３ｍｍとされる。全ての毛束１４は同じ毛束径であってもよいし、相互に異なっていてもよい。
【００２４】
毛束１４を構成する用毛としては、例えば、毛先に向かって漸次その径が小さくなり、毛先が先鋭化された用毛（テーパー毛）、植毛面１１から毛先に向かいその径がほぼ同一である用毛（ストレート毛）等が挙げられる。ストレート毛としては、毛先が植毛面１１に略平行な平面とされたものや、毛先が半球状に丸められたものが挙げられる。
【００２５】
用毛の材質は、例えば、６−１２ナイロン（６−１２ＮＹ）、６−１０ナイロン（６−１０ＮＹ）等のポリアミド、ＰＥＴ、ＰＢＴ、ポリトリメチレンテレフタレート（ＰＴＴ）、ポリエチレンナフタレート（ＰＥＮ）、ポリブチレンナフタレート（ＰＢＮ）等のポリエステル、ＰＰ等のポリオレフィン、ポリオレフィン系エラストマー、スチレン系エラストマー等のエラストマー樹脂等が挙げられる。
これらの樹脂材料は、１種単独で又は２種以上を組み合わせて用いることができる。
また、用毛としては、芯部と該芯部の外側に設けられた少なくとも１層以上の鞘部とを有する多重芯構造を有するポリエステル製用毛が挙げられる。
【００２６】
用毛の横断面形状は、特に限定されず、真円形、楕円形等の円形、多角形、星形、三つ葉のクローバー形、四つ葉のクローバー形等としてもよい。全ての用毛の断面形状は同じであってもよいし、異なっていてもよい。
【００２７】
用毛の太さは、材質等を勘案して決定でき、横断面が円形の場合、例えば、６〜９ｍｉｌ（１ｍｉｌ＝１／１０００ｉｎｃｈ＝０．０２５ｍｍ）とされる。また、使用感、刷掃感、清掃効果、耐久性等を考慮して、太さの異なる複数本の用毛を任意に組み合わせて用いてもよい。
【００２８】
歯ブラシ１の製造方法は、インサート成形でハンドル体２を成形し、次いで、ヘッド部１０に毛束１４を植毛する。
インサート成形は、第一の部材４を第一の金型内に配置し、ここに第二の樹脂を射出して、基体を得る。第一の部材４は、例えば、従来公知の射出成形等により得られる。使用される第一の金型は、内部に第一の部材４を配置した状態で、第二の部材６に応じた形状のキャビティが形成されている。第一の部材４を第一の金型内に配置すると、第一の嵌合部４４及び第二の嵌合部４６の突端が第一の金型の内面に当接するため、第二の樹脂を射出した際に、第一の部材４がずれにくい。このため、第一の部材４を覆う第二の部材６の厚さが、所望の厚さとなり、第一の部材４と第二の部材６とをより強固に接合できる。得られた基体は、第一の部材４に形成された嵌合部が第二の部材６の嵌合孔に嵌合した状態となる。
【００２９】
次いで、得られた基体を第二の金型内に配置し、軟質樹脂を射出してハンドル体２を得る。使用される第二の金型は、内部に基体を配置した状態で、被覆部８に応じた形状のキャビティが形成されている。
第二の金型内に射出された軟質樹脂は、貫通孔４８及び６８を充填し、被覆本体８０と滑止部８２とを形成する。
【００３０】
次いで、得られたハンドル体２のヘッド部１０に、毛束１４を植毛する。毛束１４の植毛方法としては、毛束１４を二つ折りにしその間に挟み込まれた平線を植毛穴１２に打ち込むことにより毛束１４を植設する平線式植毛、毛束１４の下端を植毛部となる溶融樹脂中へ圧入して固定する熱融着法、毛束１４の下端を加熱して溶融塊を形成した後に金型中に溶融樹脂を注入して植毛部を成形するインモールド法等が挙げられる。
【００３１】
上述の通り、本実施形態のハンドル体によれば、異なる樹脂からなる第一の部材と第二の部材とを備え、かつ十分な強度を有する。このため、例えば、高剛性のＰＢＴやＰＯＭで第一の部材を構成し、エラストマー樹脂との接着性の高いＰＰで第二の部材を構成しても、第一の部材と第二の部材とが分離しにくいため、高い強度のハンドル体を得られる。
加えて、本実施形態のハンドル体は、第一の部材に嵌合部が形成されているため、第二の部材から第一の部材が抜けにくい。
さらに、嵌合部が嵌合孔を貫通する、即ち、第二の金型の内面に嵌合部が当接するため、第二の樹脂を射出した際に、第一の部材がずれたりせず、第一の部材と第二の部材とをより強固に接合できる。
【００３２】
本発明は上述の実施形態に限定されるものではない。
上述の実施形態では、第一の部材と第二の部材との境界がネック部の基端に位置しているが、本発明はこれに限定されず、境界がヘッド部の基端に位置していてもよいし、境界がネック部の途中に位置していてもよいし、境界が把持部の途中に位置していてもよい。即ち、延在部は、露出していなくてもよいし、ネック部の一部を形成してもよいし、把持部の一部を形成してもよい。
【００３３】
上述の実施形態では、第一の部材と第二の部材との２つの部材で基体が構成されている。しかしながら、本発明はこれに限定されず、例えば、３つ以上の部材で基体が構成されていてもよい。例えば、ヘッド部を構成する部材と、ネック部を構成する部材と、ハンドル部を構成する部材との３つの部材で、基体が構成されていてもよい。加えて、これらの３つの部材は、相互に異なる樹脂で構成されていてもよいし、２つの部材が同じ樹脂で構成されていてもよい。
【００３４】
上述の実施形態では、延在部の２箇所に嵌合部が形成されているが、本発明はこれに限定されず、嵌合部は、１箇所のみに形成されていてもよいし、３箇所以上に形成されていてもよい。
【００３５】
上述の実施形態では、嵌合部が表面及び背面の二方向に突出しているが、本発明はこれに限定されず、嵌合部は、一次金型の構造等を勘案して形成されればよい。従って、嵌合部は、一方向にのみ突出していてもよいし、放射状に突出していてもよいし、環状に形成されていてもよい。ただし、第一の部材と第二の部材とをより強固に接合する観点から、嵌合部は、少なくとも任意の方向と、その反対方向とに突出していることが好ましい。
【００３６】
上述の実施形態では、嵌合部が嵌合孔を貫通しているが、本発明はこれに限定されず、嵌合部が嵌合孔を貫通していなくてもよいし、嵌合部が第二の部材で覆われていてもよい。ただし、金型内での第一の部材の姿勢を維持する観点から、嵌合部は、嵌合孔を貫通するように形成されていることが好ましい。
【００３７】
上述の実施形態では、第二の部材の一部を覆うように被覆部が形成されているが、本発明はこれに限定されず、被覆部が形成されていなくてもよいし、被覆部が第二の部材の全体を覆っていてもよいし、被覆部が第一の部材を覆っていてもよい。
また、被覆部は、歯ブラシのデザインや機能に応じて適宜決定される。
例えば、図５のハンドル体１０２のような被覆部１０８を備えてもよい。ハンドル体１０２は、ヘッド部１１０とハンドル部１２０とを備え、ハンドル部１２０はネック部１２２と把持部１２４とを備える。第一の部材１０４は、ヘッド部１１０とネック部１２２とを形成し、第二の部材１０６と被覆部１０８とは、把持部１２４を形成する。この被覆部１０８には、把持部１２４の側方の各々に膨出する円弧状の膨出部１８０が２箇所形成されている。
あるいは、図６のハンドル体２０２のような被覆部２０８を備えてもよい。ハンドル体２０２は、ヘッド部２１０とハンドル部２２０とを備え、ハンドル部２２０は、ネック部２２２と把持部２２４とを備える。第一の部材２０４は、ヘッド部２１０とネック部２２２とを形成し、第二の部材２０６と被覆部２０８とは、ハンドル部２２０を形成する。被覆部２０８は、把持部２２４の一方の側面を覆い、他方の側面を開放するように形成され、平面視において、被覆部２０８と第二の部材２０６が露出する部分との境界２８２が斜めに形成されている。加えて、ハンドル部２２０におけるネック部２２２の基端寄りには、植毛面２１１側（即ち、表面）に、第二の部材２０６が平面視楕円形に露出した露出部２８０が形成されている。
【符号の説明】
【００３８】
１    歯ブラシ
２、１０２、２０２      ハンドル体
４、１０４、２０４      第一の部材
６、１０６、２０６      第二の部材
８、１０８、２０８      被覆部
１０、１１０、２１０      ヘッド部
１４      毛束
２０、１２０、２２０      ハンドル部
４０      延設部
４４      第一の嵌合部
４６      第二の嵌合部
６４      第一の嵌合孔
６６      第二の嵌合孔
【図１】
2015070925.tif 000003
【図２】
2015070925.tif 000004
【図３】
2015070925.tif 000005
【図４】
2015070925.tif 000006
【図５】
2015070925.tif 000007
【図６】
2015070925.tif 000008